(57)【要約】【課題】振動によって音を出力する板状部によって区切られる空間のうち、一方の空間側に漏れ出る音を従来に比べて低減する。【解決手段】音響装置（１）は、障子枠（５）と、屋内側ガラス（２ａ）上の振動デバイス（３）が振動して発生する音の逆位相の音を出力する窓内スピーカ（４）と、を備え、屋内側ガラス（２ａ）と屋外側ガラス（２ｂ）と障子枠（５）とによって囲まれた閉空間（６）に向けて、窓内スピーカ（４）は逆位相の音を出力する。【選択図】図１
2019020652.tif 000002
【特許請求の範囲】
【請求項１】
互いに向き合う少なくとも２つの板状部のうちの１つに取り付けられた振動部が振動することによって音を発生させる音響装置であって、
上記少なくとも２つの板状部が設けられた枠部と、
上記音と逆位相の音を出力する音出力部と、を備えており、
上記枠部と上記少なくとも２つの板状部とによって囲まれた空間は閉空間を形成しており、
上記音出力部は、上記閉空間に向けて出力される上記音とは逆位相の音を上記閉空間に向けて出力するように、上記枠部に設けられていることを特徴とする音響装置。
【請求項２】
上記振動部は、上記閉空間外において、上記少なくとも２つの板状部のうちの１つに取り付けられていることを特徴とする請求項１に記載の音響装置。
【請求項３】
上記振動部は、上記閉空間内において、上記少なくとも２つの板状部のうちの１つに取り付けられていることを特徴とする請求項１に記載の音響装置。
【請求項４】
当該音響装置は、複数の振動部を備え、
上記複数の振動部は、上記少なくとも２つの板状部のうちの１つに取り付けられていることを特徴とする請求項１〜３の何れか１項に記載の音響装置。
【請求項５】
上記音出力部から出力される音を制御する音制御部を更に備えており、
上記音制御部は、上記音出力部から出力される音のうち、特定の周波数帯の音が他の周波数帯の音より大きくなるように制御することを特徴とする請求項１〜４の何れか１項に記載の音響装置。
【請求項６】
上記閉空間における音を取得する音取得部と、
上記音取得部が取得した音の音量に応じて、上記音出力部から出力される音の音量を制御する音量制御部と、
を更に備えることを特徴とする請求項１〜５の何れか１項に記載の音響装置。
【発明の詳細な説明】
【技術分野】
【０００１】
本開示は、音響装置に関する。
【背景技術】
【０００２】
近年、窓、壁及び机等の平面的な板状部に振動部を取り付け、それらを振動させることによって音を発生させる音響装置が注目されている。
【０００３】
このような音響装置は、例えば、振動部を窓ガラスのような一様な平面の板状部に取り付けて振動させると、フラットパネルスピーカと同様の音響環境を構築することができる。換言すれば、単体で設置されたスピーカから出力される音よりも、音源位置を特定しにくく、音に包まれたような感覚や、どこで聴いても同じように聴こえるといった音響的感覚をユーザに与えることができる。
【０００４】
上述の音響装置の例として、例えば、特許文献１には、窓ガラスにアクチュエータを取り付けて振動させることによって音を発生させる音響装置が記載されている。
【０００５】
特許文献１に記載の音響装置では、窓ガラスによって区切られる２つの空間の両方の空間に音が出力されてしまう。そのため、例えば、家の窓ガラスにアクチュエータを取り付けた場合、屋内側だけでなく、屋外側にも音が漏れ出てしまう。そのため、プライバシーが漏えいしたり、近隣の住民への迷惑になったりという問題があった。
【０００６】
そこで、屋外へ音が漏れ出ることを防ぐ技術として、例えば、特許文献２及び３に記載されているような装置が開示されている。
【０００７】
特許文献２には、窓ガラスの屋内側の面に取り付けられる平面スピーカと、窓ガラスの屋外側の面に配される騒音検出装置と、騒音検出装置によって検出された振動波と干渉して減衰させる制御音を平面スピーカから発生させる制御部とからなる防音装置が記載されている。
【０００８】
特許文献３には、騒音源マイクによって検出される室内の音楽発生機からの発生音と、検出マイクによって検出されるスピーカより発生される制御音との干渉音が最小になるように制御部がスピーカを制御する遮音装置が記載されている。
【先行技術文献】
【特許文献】
【０００９】
【特許文献１】特表平１１−５０４８４８号公報（１９９９年５月１１日公開）
【特許文献２】特開２００６−２１５５１０号公報（２００６年８月１７日公開）
【特許文献３】特開平８−３０５３７２号公報（１９９６年１１月２２日公開）
【発明の概要】
【発明が解決しようとする課題】
【００１０】
しかしながら、特許文献２及び３には、板状部によって区切られる空間のうち、屋外側等の一方の空間側に漏れ出る音を十分には低減できないという問題がある。
【００１１】
本開示の一態様は、振動によって音を出力する板状部によって区切られる空間のうち、一方の空間側に漏れ出る音を従来に比べて低減する技術を提供することを目的とする。
【課題を解決するための手段】
【００１２】
上記の課題を解決するために、本開示の一態様に係る音響装置は、互いに向き合う少なくとも２つの板状部のうちの１つに取り付けられた振動部が振動することによって音を発生させる音響装置であって、上記少なくとも２つの板状部が設けられた枠部と、上記音と逆位相の音を出力する音出力部と、を備えており、上記枠部と上記少なくとも２つの板状部とによって囲まれた空間は閉空間を形成しており、上記音出力部は、上記閉空間に向けて出力される上記音とは逆位相の音を上記閉空間に向けて出力するように、上記枠部に設けられている。
【発明の効果】
【００１３】
本開示の一態様に係る音響装置によれば、本開示の一態様は、振動によって音を出力する板状部によって区切られる空間のうち、一方の空間側に漏れ出る音を従来に比べて低減することができるという効果を奏する。
【図面の簡単な説明】
【００１４】
【図１】本開示の実施形態１に係る音響装置の構成を示す概略図である。
【図２】本開示の実施形態１に係る音響装置の効果を示す概略図である。
【図３】本開示の実施形態１に係る音響装置の構成を示す拡大図である。
【図４】本開示の実施形態２に係る音響装置の構成を示す概略図である。
【図５】本開示の実施形態３に係る音響装置の構成を示す概略図である。
【図６】本開示の実施形態４に係る音響装置の構成を示す拡大図である。
【図７】本開示の実施形態５に係る音響装置の構成を示す概略図である。
【図８】本開示の実施形態５に係る音響装置の構成を示す拡大図である。
【発明を実施するための形態】
【００１５】
＜実施形態１＞
〔音響装置１〕
図１〜３を用いて、本開示の実施形態１に係る音響装置１について詳細に説明する。
【００１６】
図１は、実施形態１に係る音響装置１の構成を示す概略図であり、図１の（ａ）は、音響装置１の構成を示す断面図である。図１の（ｂ）は、窓内スピーカを設置している側から見た音響装置１の正面図である。
【００１７】
図１の（ａ）及び（ｂ）に示すように、音響装置１は、ペアガラス２と、振動デバイス（振動部）３と、窓内スピーカ（音出力部）４と、障子枠（枠部）５と、音源信号出力部８とを備えている。本明細書では、ペアガラスとして家の窓を用いた場合を例に挙げて説明する。そのため、ペアガラスによって区切られる一方の空間を「屋内」、もう一方の空間を「屋外」と称する場合もある。
【００１８】
図１の（ａ）に示すように、振動デバイス３は、ペアガラス２のうちの一方のガラスである屋内側ガラス（板状部）２ａに取り付けられている。振動デバイス３は、音源信号出力部８から配線を介して送られる信号によって屋内側ガラス２ａ上で振動し、屋内側ガラス２ａから音を発生させる。
【００１９】
また、図１の（ａ）に示すように、障子枠５にペアガラス２が設けられており、ペアガラス２と障子枠５とによって囲まれた閉空間６において、障子枠５の上面に、閉空間６に向けて音を出力するように設けられた窓内スピーカ４は、屋内側ガラス２ａから閉空間６に向けて出力される音とは逆位相の音を出力する。
【００２０】
これらの構成により、音響装置１では、閉空間６において、振動デバイス３が振動することによって屋内側ガラス２ａから出力された音と、窓内スピーカ４から出力される逆位相の音とが干渉し合って打ち消し合う。その結果、音響装置１は、屋外側に漏れ出る音を低減することができる。
【００２１】
以下に、音響装置１が備えている、ペアガラス２、振動デバイス３、窓内スピーカ４及び音源信号出力部８についてより詳細に説明する。
【００２２】
（ペアガラス２）
ペアガラス２は、屋内側ガラス（板状部）２ａと、屋外側ガラス（板状部）２ｂとを備えている。図１の（ａ）に示すように、ペアガラス２は、互いに向き合うように障子枠５に設けられている。障子枠５は、サッシ枠７に取り付けられており、サッシ枠７は、壁９に設けられている。
【００２３】
図１の（ｂ）に示すように、音響装置１では、障子枠５と、屋内側ガラス２ａと、屋外側ガラス２ｂとによって囲まれた閉空間６が形成される。
【００２４】
なお、図１の（ａ）及び（ｂ）は概略図であるため、ペアガラス２間のスペーサー、ペアガラス２と障子枠５との間のグレーティングチャンバー及び電源の図示は省略している。また、引違窓における対の窓ガラスの図示も同様の理由から省略している。
【００２５】
ここで、上述の例では、ペアガラス２は、屋内側ガラス２ａと屋外側ガラス２ｂとの２枚で構成されているが、本実施形態ではこれに限定されず、少なくとも２つのガラス（板状部）であればよい。例えば、ペアガラス２は３枚以上のガラスによって構成されていてもよい。この場合、３枚目以降のガラスは、例えば、屋内側ガラス２ａと屋外側ガラス２ｂとの間に設けられていてもよいし、屋内側ガラス２ａの更に屋内側又は屋外側ガラス２ｂの更に屋外側に設けられていてもよい。
【００２６】
また、本実施形態では、ペアガラス２の代わりに、例えば、部屋を区切る１つのドアが枠部に設けられており、当該１つのドアは２枚の板状部を含み、当該２枚の板状部と枠部とによって閉空間が形成されていてもよい。
【００２７】
（振動デバイス３）
振動デバイス３は、可聴周波数帯域の振動を発生する振動発生手段である。
【００２８】
図１の（ａ）に示すように、振動デバイス３は、閉空間６の外側において、屋内側ガラス２ａに取り付けられている。換言すれば、振動デバイス３は、屋内側ガラス２ａの屋内側の面に取り付けられている。この構成により、振動デバイス３を屋内側ガラス２ａから取り外して交換しやすくなり、メンテナンス性を向上させることができる。また、振動デバイス３を取り付けた屋内側ガラス２ａから音を出力していない場合等、振動デバイス３が不要な場合には、振動デバイス３を屋内側ガラス２ａから容易に取り外すことができる。
【００２９】
図１の（ａ）に示すように、屋内側ガラス２ａに取り付けられた振動デバイス３が振動することによって、屋内側ガラス２ａの屋内方向と閉空間６の方向との両方に音が発生する。
【００３０】
（窓内スピーカ４）
窓内スピーカ４は、振動デバイス３が取り付けられた屋内側ガラス２ａから閉空間６に向けて出力される音とは逆位相の音を閉空間６に向けて出力する。
【００３１】
窓内スピーカ４が出力する逆位相の音は、例えば、屋内側ガラス２ａ及び屋外側ガラス２ｂの厚み、並びに、これらのガラス間距離に応じて調整することが好ましい。
【００３２】
以下に、図２を用いて、窓内スピーカ４についてより詳細に説明する。図２は、実施形態１に係る音響装置１の効果を示す概略図であり、図２の（ａ）は、窓内スピーカ４を備えていない音響装置１１の概略図であり、図２の（ｂ）は、音響装置１の概略図である。
【００３３】
図２の（ａ）に示すように、音響装置１１が窓内スピーカ４を備えておらず、ペアガラス２等の複層構造の板状部を備えている場合、屋内側ガラス２ａに取り付けられた振動デバイス３が振動することによって発生した音は、閉空間６を介して屋外に漏れ出る。
【００３４】
これに対し、本実施形態に係る音響装置１では、窓内スピーカ４は、閉空間６において障子枠５の何れかの面に設けられており、屋内側ガラス２ａと屋外側ガラス２ｂとの間の閉空間６に向けて逆位相の音を出力する。この構成により、振動デバイス３が振動することによって発生した音及び窓内スピーカ４から出力された逆位相の音が屋外側に漏れ出て拡がっていくことを防ぐことができる。すなわち、屋内側ガラス２ａに取り付けられた振動デバイス３が振動することによって閉空間６に向けて出力された音と逆位相の音が窓内スピーカ４から出力されることにより、適切に干渉させることができる。その結果、閉空間６において互いの音が打ち消し合い、屋外側に漏洩する音を低減することができる。
【００３５】
なお、上述の例では、窓内スピーカ４は、障子枠５の上面に設けられているが、本実施形態ではこれに限定されない。本実施形態では、窓内スピーカ４は、閉空間６に逆位相の音を出力することができれば、障子枠５の４つの面のうちの何れに設けられていてもよい。ただし、図１の（ａ）に示すように、窓内スピーカ４を障子枠５内に埋め込むスペースを確保するという観点からは、図１の（ａ）のように障子枠５の上面に設けるか、又は、障子枠５の下面に設けることが好ましい。
【００３６】
また、窓内スピーカ４が閉空間６に向けて逆位相の音を出力する方向は特に限定されない。ただし、窓内スピーカ４から出力した逆位相の音と、屋内側ガラス２ａに取り付けられた振動デバイス３が振動することによって発生した音とを閉空間６において効率よく打ち消し合う観点から、屋内側ガラス２ａに沿う方向に逆位相の音を出力することが好ましい。
【００３７】
（音源信号出力部８）
音源信号出力部８は、配線を介して振動デバイス３及び窓内スピーカ４に信号を送る。以下、図３を用いて音源信号出力部８についてより詳細に説明する。
【００３８】
図３は、音響装置１の構成を示す拡大図である。図３に示すように、音源信号出力部８は、振動デバイス３と、窓内スピーカ４とに対し、それぞれ、別の一対の端子（＋側の端子である信号側端子８ａ及び−側の端子であるグランド側端子８ｂ）を介して接続されている。図３に示すように、窓内スピーカ４の配線の一部は、障子枠５の内部に埋没されている。
【００３９】
音源信号出力部８は、振動デバイス３に出力する信号と、窓内スピーカ４に出力する信号との位相を逆にする。この構成により、窓内スピーカ４は、振動デバイス３が振動することによって閉空間６に向けて出力される音と逆位相の音を出力することができる。
【００４０】
また、音源信号出力部８と、振動デバイス３及び窓内スピーカとの接続を変更することにより、窓内スピーカ４から逆位相の音を出力する構成であってもよい。より具体的には、音源信号出力部８と振動デバイス３とは、信号側端子８ａ同士、グランド側端子８ｂ同士を接続し、音源信号出力部８と窓内スピーカ４とは、信号側端子８ａとグランド側端子８ｂとを接続してもよい。
【００４１】
＜実施形態２＞
実施形態１では、音響装置１は１つの振動デバイス３を備えていたが、本実施形態では、音響装置１０が複数の振動デバイス３を備える構成について説明する。
【００４２】
以下に、実施形態２に係る音響装置１０について、図４を用いて説明する。なお、説明の便宜上、実施形態１にて説明した部材と同じ機能を有する部材については、同じ符号を付記し、その説明を省略する。
【００４３】
〔音響装置１０〕
図４は、実施形態２に係る音響装置１０の構成を示す概略図であり、図４の（ａ）は、音響装置１０の断面図である。図４の（ｂ）は、屋内側から見た音響装置１０の正面図である。
【００４４】
図４の（ａ）及び（ｂ）に示すように、音響装置１０における屋内側ガラス２ａには、振動デバイス３が４つ取り付けられており、障子枠５には、４つの窓内スピーカ４が設けられている。この点以外は、音響装置１０は、実施形態１に係る音響装置１と同様の構成である。
【００４５】
このように、音響装置１０における屋内側ガラス２ａに振動デバイス３が複数取り付けられていることで、振動デバイス３が１つのみ取り付けられている場合に比べて、屋内側に響く音に拡がりを持たせることができる。また、振動デバイス３又は屋内側ガラス２ａの性質によっては、臨場感を向上させる音や、屋内の住民（ユーザ）にとって自然な音を屋内側に響かせ、豊かな音を屋内の住民に聴かせることができる。
【００４６】
また、図４に示すように、窓内スピーカ４を図１の窓内スピーカ４に比べて振動デバイス３の近くに配置することによって、閉空間６及び屋内側に漏れ出る音を更に減少させることができる。
【００４７】
なお、上述の例では、屋内側ガラス２ａに振動デバイス３が４つ取り付けられているが、本実施形態ではこれに限定されない。屋内側ガラス２ａに取り付けられる振動デバイス３の数は、任意であってもよいが、屋内側ガラス２ａの大きさに応じて、例えば、１個以上８個以下が好ましく、屋内で心地よく広がりのある音として鑑賞できる、窓から見える屋外の景色をなるべく損ねないようにする観点から、２個以上４個以下がより好ましい。
【００４８】
＜実施形態３＞
上述の実施形態では、閉空間６の外側において、屋内側ガラス２ａに振動デバイス３が取り付けられているが、閉空間６において、屋内側ガラス２ａに振動デバイスが取り付けられていてもよい。
【００４９】
以下に、実施形態３に係る音響装置２０について、図５を用いて説明する。なお、説明の便宜上、上述の実施形態にて説明した部材と同じ機能を有する部材については、同じ符号を付記し、その説明を省略する。
【００５０】
〔音響装置２０〕
図５は、実施形態３に係る音響装置の構成を示す概略図であり、図５の（ａ）は、音響装置２０の断面図である。図５の（ｂ）は、屋内側から見た音響装置２０の正面図である。
【００５１】
図５の（ａ）及び（ｂ）に示すように、振動デバイス２３は、屋内側ガラス２ａの閉空間６側の面に取り付けられている。なお、振動デバイス２３は、上述の実施形態における振動デバイス３と同じ機能を有するため、説明を省略する。
【００５２】
このように、振動デバイス２３が屋内側ガラス２ａの閉空間６側の面に取り付けられていることによって、閉空間６に振動デバイス２３が入るため、屋内側ガラス２ａの屋内側の面がすっきりして屋内側ガラス２ａを拭く等、掃除しやすくなる。
【００５３】
また、ペアガラス２が引違窓である場合であっても、振動デバイス３の大きさに関わらず、屋内側ガラス２ａを開閉する際に振動デバイス３が引違窓に干渉せず、引違窓を十分に開閉することができる。
【００５４】
また、振動デバイス２３が屋内側ガラス２ａの屋外側の面に取り付けられていることにより、屋内側ガラス２ａの結露による振動デバイス２３の不具合を防止することもできる。
【００５５】
＜実施形態４＞
上述の実施形態における音響装置１、１０及び２０は音源信号制御部（音制御部）を更に備えていてもよい。
【００５６】
以下に、実施形態４に係る音響装置３０について、図６を用いて説明する。なお、説明の便宜上、上述の実施形態にて説明した部材と同じ機能を有する部材については、同じ符号を付記し、その説明を省略する。
【００５７】
〔音響装置３０〕
図６は、実施形態４に係る音響装置３０の構成を示す拡大図である。
【００５８】
図６に示すように、音響装置３０は音源信号制御部（音制御部）３１を更に備えている。この点以外は、音響装置３０は、実施形態１に係る音響装置１と同様の構成である。
【００５９】
音源信号制御部３１は、窓内スピーカ４から出力される音のうち、特定の周波数帯の音が他の周波数帯の音より大きくなるように制御する。
【００６０】
音源信号制御部３１は、例えば、図６に示すように、音源信号出力部８と、窓内スピーカ４との間を信号側端子８ａ及びグランド側端子８ｂで接続することで、音響装置３０に設けることができる。
【００６１】
ここで、音響装置３０のように、ペアガラス２等の複層構造の板状部を備えている場合、屋内側ガラス２ａに取り付けられた振動デバイス３が振動することによって発生した音は、ペアガラス２間で特定の周波数帯において共鳴し、増幅しやすい。このため、屋外へ漏れ出る音量は特に大きくなることもあり得る。
【００６２】
また、共鳴する周波数ｆ（Ｈｚ）は、一般に以下の式で表される。
【００６３】
【数１】
2019020652.tif 000003
【００６４】
（ｄ：複数の板状部間の距離（ｍ）、ｍ１、ｍ２：板状部の面密度（ｇ／ｍ２））
ペアガラス２のように、複層構造の板状部がガラス窓から構成されている場合、上述の共鳴する周波数は、約５００Ｈｚ以下の低周波数となる。その結果、共鳴した約５００Ｈｚ以下の低周波数の音が屋外に漏れ出た場合、近隣の住民にとって騒音として感じられやすいため、近隣の住民の迷惑になりやすい。
【００６５】
これに対し、音源信号制御部３１が、窓内スピーカ４から出力される音のうち、上述の共鳴の周波数帯の音を大きくするように制御することで、閉空間６における音量低減量を増加することができる。この構成により、ペアガラス２間において共鳴した場合であっても、屋外側に漏洩する音をより低減することができる。
【００６６】
なお、共鳴周波数帯の音は、例えば、窓内スピーカ４に送られる信号に逆ノッチフィルタを適用することで取り出し、選択的に増幅して出力すればよい。
【００６７】
＜実施形態５＞
上述の実施形態における音響装置１、１０及び２０は、窓内マイク（音取得部）及び音量制御部を更に備えていてもよい。
【００６８】
以下に、実施形態５に係る音響装置４０について、図７及び８を用いて説明する。なお、説明の便宜上、上述の実施形態にて説明した部材と同じ機能を有する部材については、同じ符号を付記し、その説明を省略する。
【００６９】
〔音響装置４０〕
図７は、音響装置４０の構成を示す概略図である。図８は、音響装置４０の構成を示す拡大図である。
【００７０】
図７及び８に示すように、音響装置４０は窓内マイク（音取得部）４１及び音量制御部４２を更に備えている。この点以外は、音響装置４０は、実施形態１に係る音響装置１と同様の構成である。
【００７１】
窓内マイク４１は、閉空間６における音を取得する。
【００７２】
音量制御部４２は、窓内マイク４１が取得した閉空間６における音の音量に応じて、窓内スピーカ４から出力される音の音量を制御する。
【００７３】
音量制御部４２は、例えば、図８に示すように、音源信号出力部８と、窓内スピーカ４との間の信号側端子８ａ間に接続することで、音響装置４０に設けることができる。
【００７４】
（音量制御部４２の具体的な処理）
振動デバイス３が振動することで屋内側ガラス２ａから閉空間６に向けて出力される音の音量と、窓内スピーカ４から閉空間６に向けて出力される逆位相の音の音量とが等しい場合でも、必ずしも閉空間６内における音量が小さくなるとは限らない。そのため、音響装置４０の窓内マイク４１が閉空間６における音量を取得し、当該音量が小さくなるように、窓内スピーカ４から出力する音の音量を自動で調整及び制御することで、屋外に漏れ出る音の音量をより低減することができる。
【００７５】
具体的には、音量制御部４２が窓内スピーカ４から出力される音の音量を大きくすることによって窓内マイク４１が取得する音の音量が小さくなる場合、振動デバイス３が振動することによって発せさせられた音の音量が、窓内スピーカ４から出力される音の音量より大きいという状況であると言える。この場合、音量制御部４２は、さらに窓内スピーカ４から出力される音の音量を大きくする。この構成により、音量制御部４２は、閉空間６における音を小さくすることができる。
【００７６】
一方、音量制御部４２が窓内スピーカ４から出力される音の音量を小さくすることによって窓内マイク４１が取得する音の音量が小さくなる場合、振動デバイス３が振動することによって発せさせられた音の音量が、窓内スピーカ４から出力される音の音量より小さいという状況であると言える。この場合、音量制御部４２は、窓内スピーカ４から出力される音の音量を小さくする。この構成により、音量制御部４２は、閉空間６における音を小さくすることができる。
【００７７】
また、音量制御部４２は、アクティブ・ノイズ・コントロールの技術を応用し、フィードフォワード又はフィードバック制御を行うことで、閉空間６における音を小さくしてもよい。
【００７８】
このように、音量制御部４２が、窓内マイク４１が取得した音の音量に応じて、窓内スピーカ４から出力される音の音量を制御することにより、閉空間６における音を小さくすることができる。
【００７９】
〔ソフトウェアによる実現例〕
音響装置１、１０、２０、３０、４０の制御ブロック（特に音響装置３０における音源信号制御部３１、音響装置４０における音量制御部４２）は、集積回路（ＩＣチップ）等に形成された論理回路（ハードウェア）によって実現してもよいし、ソフトウェアによって実現してもよい。
【００８０】
後者の場合、音響装置１、１０、２０、３０、４０は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本開示の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路等を用いることができる。また、上記プログラムを展開するＲＡＭ（Random Access Memory）等を更に備えていてもよい。また、上記プログラムは、該プログラムを伝送可能な任意の伝送媒体（通信ネットワークや放送波等）を介して上記コンピュータに供給されてもよい。なお、本開示の一態様は、上記プログラムが電子的な伝送によって具現化された、搬送波に埋め込まれたデータ信号の形態でも実現され得る。
【００８１】
〔まとめ〕
本開示の態様１に係る音響装置（１、１０、２０、３０、４０）は、互いに向き合う少なくとも２つの板状部（ペアガラス２、屋内側ガラス２ａ、屋外側ガラス２ｂ）のうちの１つに取り付けられた振動部（振動デバイス３、２３）が振動することによって音を発生させる音響装置であって、上記少なくとも２つの板状部が設けられた枠部（障子枠５）と、上記音と逆位相の音を出力する音出力部（窓内スピーカ４）と、を備えており、上記枠部と上記少なくとも２つの板状部とによって囲まれた空間は閉空間（６）を形成しており、上記音出力部は、上記閉空間に向けて出力される上記音とは逆位相の音を上記閉空間に向けて出力するように、上記枠部に設けられている。
【００８２】
上記構成によれば、少なくとも２つの板状部によって区切られる空間のうち、一方の空間側に漏れ出る音を低減することができる。
【００８３】
本開示の態様２に係る音響装置（１、１０、３０、４０）において、上記態様１における上記振動部は、上記閉空間外において、上記少なくとも２つの板状部のうちの１つに取り付けられていてもよい。
【００８４】
上記の構成によれば、振動部を、少なくとも２つの板状部のうちの１つに、閉空間の外において取り付けるため、振動部を取り外しやすくなる。そのため、音響装置では、振動部の交換が容易になり、また、メンテナンス性を向上させることができる。
【００８５】
本開示の態様３に係る音響装置（２０）において、上記態様１における上記振動部（振動デバイス２３）は、上記閉空間内において、上記少なくとも２つの板状部のうちの１つに取り付けられていてもよい。
【００８６】
上記の構成によれば、振動部は、閉空間内に取り付けられるため、板状部の閉空間の外側の面がすっきりして、表面を拭く等掃除しやすくなる。また、少なくとも２つの板状部が引違窓である場合であっても、振動部の大きさに関わらず、引違窓を十分に開閉することができる。板状部の閉空間の外側において発生した結露による振動部の不具合を防止することができる。
【００８７】
本開示の態様４に係る音響装置１０は、上記態様１〜３の何れかにおいて、複数の振動部（複数の振動デバイス３）を備え、上記複数の振動部は、上記少なくとも２つの板状部のうちの１つに取り付けられていてもよい。
【００８８】
上記の構成によれば、振動部が１つの場合に比べて、拡がりを持った音を出すことができる。また、振動部又は板状部の性質によっては、臨場感を向上させる音、自然な音、および豊かな音を出すことができる。
【００８９】
本開示の態様５に係る音響装置３０は、上記態様１〜４の何れかにおいて、上記音出力部から出力される音を制御する音制御部（音源信号制御部３１）を更に備えており、上記音制御部は、上記音出力部から出力される音のうち、特定の周波数帯の音が他の周波数帯の音より大きくなるように制御してもよい。
【００９０】
上記の構成によれば、少なくとも２つの板状部によって発生する共鳴の周波数帯の音を大きくした逆位相の音を、音制御部は音出力部から出力するよう制御する。そのため、閉空間における音量低減量を増加することができる。
【００９１】
本開示の態様６に係る音響装置４０は、上記態様１〜５の何れかにおいて、上記閉空間における音を取得する音取得部（窓内マイク４１）と、上記音取得部が取得した音の音量に応じて、上記音出力部から出力される音の音量を制御する音量制御部（４２）と、を更に備えてもよい。
【００９２】
上記の構成によれば、音取得部が閉空間における音量を取得し、取得した音に応じて音出力部から出力される音の音量を制御する。そのため、音量制御部は、閉空間における音が小さくなる音を音出力部から出力することができる。
【００９３】
本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。更に、各実施形態にそれぞれ開示された技術的手段を組み合わせることにより、新しい技術的特徴を形成することができる。
【符号の説明】
【００９４】
１、１０、１１、２０、３０、４０  音響装置
２        ペアガラス（板状部）
２ａ      屋内側ガラス（板状部）
２ｂ      屋外側ガラス（板状部）
３、２３  振動デバイス（振動部）
４        窓内スピーカ（音出力部）
５        障子枠（枠部）
６        閉空間
７        サッシ枠
８        音源信号出力部
８ａ      信号側端子
８ｂ      グランド側端子
９        壁
３１      音源信号制御部（音制御部）
４１      窓内マイク（音取得部）
４２      音量制御部
【図１】
2019020652.tif 000004
【図２】
2019020652.tif 000005
【図３】
2019020652.tif 000006
【図４】
2019020652.tif 000007
【図５】
2019020652.tif 000008
【図６】
2019020652.tif 000009
【図７】
2019020652.tif 000010
【図８】
2019020652.tif 000011